(57)【要約】      【課題】  信号伝送効率を向上させる。      【解決手段】  着用させた被験者の身体に関する情報を取得するための、該被験者の着用部位に該着衣を潜らせる開き部分を有した通信機能付き着衣に、被験者の身体の一部を覆うよう型取られた導電シートと、導電シート上に散在され、当該導電シートを利用して近接した通信チップに信号を伝送していく複数の通信チップとを含んだ二次元拡散信号伝送テクノロジを用いる伝送基板と、該開き部分を留める合わせ部とを備え、合わせ部に伝送基板を電気的に接続させる接続部を設ける。【選択図】      図６
2007307040.tif 000002
【特許請求の範囲】
【請求項１】
着用させた被験者の身体に関する情報を取得するための通信機能付き着衣であって、該被験者の着用部位に該着衣を潜らせる開き部分を有した通信機能付き着衣において、
被験者の身体の一部を覆うよう型取られた導電シートと、前記導電シート上に散在され、当該導電シートを利用して近接した通信チップに信号を伝送していく複数の通信チップとを含んだ二次元拡散信号伝送テクノロジを用いる伝送基板を有し、
該開き部分を留める合わせ部が形成され、
前記合わせ部に前記伝送基板を電気的に接続させる接続部を設けたこと、を特徴とする通信機能付き着衣。
【請求項２】
互いに絶縁された前記導電シートを少なくとも二枚有し、それぞれが、グランド電位となるグランド層、信号が伝送される信号層を成しており、
前記接続部が、少なくとも前記信号層を電気的に接続させること、を特徴とする請求項１に記載の通信機能付き着衣。
【請求項３】
前記合わせ部が、該着衣を該着用部位に密着させるようその内周の長さを調整可能な調整手段を含むこと、を特徴とする請求項１又は請求項２の何れかに記載の通信機能付き着衣。
【請求項４】
前記合わせ部の構造が、コネクタ型、ファスナー（登録商標）型、面ファスナー型、ボタン型の何れかであること、を特徴とする請求項１から請求項３の何れかに記載の通信機能付き着衣。
【請求項５】
前記複数の通信チップの中の少なくとも１つの通信チップに、外部機器と無線通信するための無線通信手段を搭載したこと、を特徴とする請求項１から請求項４の何れかに記載の通信機能付き着衣。
【請求項６】
請求項５に記載の通信機能付き着衣と、
前記無線通信手段を搭載した通信チップの各々の、外部機器からの信号に対する受信強度を比較し、比較結果に基づいて当該信号を捕捉して伝送する通信チップを設定する制御ユニットと、を備えたこと、を特徴とする通信機能付き着衣システム。
【請求項７】
前記制御ユニットが、前記通信チップから伝送された信号に所定の処理を施して当該制御ユニット内の所定の記憶装置に記憶すること、を特徴とする請求項６に記載の通信機能付き着衣システム。
【請求項８】
体腔内に投入されるカプセル型内視鏡であって、該体腔内の画像を撮像して信号を生成し、生成された信号を外部に無線で発信するカプセル型内視鏡と、
前記カプセル型内視鏡から発信された信号を受信して前記制御ユニット内の所定の記憶装置に記憶する、請求項７に記載の通信機能付き着衣システムと、
記憶された信号を用いて該体腔内の映像を表示するモニタと、を備えたこと、を特徴とする内視鏡システム。
【請求項９】
着用させた被験者の身体に関する情報を取得するための通信機能付き着衣であって、該被験者の着用部位に該着衣を潜らせる開き部分を有した通信機能付き着衣において、
被験者の身体の一部を覆うよう型取られた導電シートと、前記導電シート上に散在され、当該導電シートを利用して近接した通信チップに信号を伝送していく複数の通信チップとを含んだ二次元拡散信号伝送テクノロジを用いる伝送基板を有し、
該開き部分を留める合わせ部が形成され、
前記合わせ部に該着衣を該着用部位に密着させるようその内周の長さを調整可能な調整手段を設けたこと、を特徴とする通信機能付き着衣。
【発明の詳細な説明】
【技術分野】
【０００１】
この発明は、着用させた被験者の身体に関する情報を取得するための通信機能付き着衣、該通信機能付き着衣を備えた通信機能付き着衣システム、及び、該通信機能付き着衣システムを備えた内視鏡システムに関する。
【背景技術】
【０００２】
近年、カプセル型内視鏡を体腔内に投入し、当該体腔内の測定を行うシステムが知られている。このようなシステムにおいて、カプセル型内視鏡から発信される電波を受信するために例えば被験者の身体にアンテナを直接貼り付けるものが提案されている（例えば特許文献１）。
【０００３】
しかしながら上記特許文献１に示されたようなシステムでは、被験者は、直接貼り付けられたアンテナによってその動きを拘束され、身体を自由に動かすことができない。そこで、受信用アンテナをジャケット上に取り付けることによって被験者の身体の自由度を確保することができるタイプのものが提案されている（例えば特許文献２）。
【０００４】
ここで、上記特許文献２に示されたようなシステムにおいて、ジャケットの軽量化等を目的とし、例えば特許文献３や非特許文献１に示された伝送技術を用いて当該ジャケット上にアンテナ回路を構築することが考えられる。なお、ここでいう伝送技術とは、配線を個別に必要とすることなく、複数の素子（以下、ＤＳＴ（Diffusive Signal-Transmission）チップと称する）の各々が信号を中継して当該信号を目的地に向けてパケットで伝送させていく技術（以下、二次元拡散信号伝送（２Ｄ（Dimension）−ＤＳＴ）テクノロジと称する）である。
【特許文献１】特開２００３−１９１１１号公報
【特許文献２】特開２００１−４６３５７号公報
【特許文献３】特開２００３−１８８８８２号公報
【非特許文献１】株式会社セルクロス、[平成１７年５月検索]、インターネット、〈http://www.utri.co.jp/venture/venture2.html〉
【発明の開示】
【発明が解決しようとする課題】
【０００５】
しかしながら上記特許文献２に示されたようなシステムでは、被験者の身体の大きさがそれぞれ異なることから、ジャケットを被験者に必ずしもフィットさせることができない。このため、被験者の身体に対するアンテナの位置がその体勢によってずれてしまい、当該アンテナの受信状態が安定せず、受信信号に例えば多くのノイズ成分が含まれてしまうことが想定される。
【０００６】
また、上記特許文献３や非特許文献１に示されたようなジャケットに２Ｄ−ＤＳＴテクノロジを用いてアンテナ回路を構築した場合、当該ジャケットの合わせ部において信号伝送路が寸断されるため、効率の良い信号伝送を行うことができないという問題点が想定される。
【０００７】
そこで、本発明は上記の事情に鑑み、信号伝送効率を向上させることができ、又、被験者にフィットさせることができる通信機能付き着衣、該通信機能付き着衣を備えた通信機能付き着衣システム、及び、該通信機能付き着衣システムを備えた内視鏡システムを提供することを目的とする。
【課題を解決するための手段】
【０００８】
上記の課題を解決する本発明の一態様に係る通信機能付き着衣は、着用させた被験者の身体に関する情報を取得するための、該被験者の着用部位に該着衣を潜らせる開き部分を有した通信機能付き着衣であり、被験者の身体の一部を覆うよう型取られた導電シートと、導電シート上に散在され、当該導電シートを利用して近接した通信チップに信号を伝送していく複数の通信チップとを含んだ二次元拡散信号伝送テクノロジを用いる伝送基板を有し、該開き部分を留める合わせ部が形成され、合わせ部に伝送基板を電気的に接続させる接続部が設けられていることを特徴する。
【０００９】
なお、上記通信機能付き着衣は互いに絶縁された導電シートを少なくとも二枚有し、それぞれが、グランド電位となるグランド層、信号が伝送される信号層を成すものであっても良い。この場合、接続部が、少なくとも信号層を電気的に接続させ得る。
【００１０】
また、上記通信機能付き着衣において、合わせ部が、該着衣を該着用部位に密着させるようその内周の長さを調整可能な調整手段を含んだものであっても良い。
【００１１】
また、上記通信機能付き着衣において、合わせ部の構造が、コネクタ型、ファスナー（登録商標）型、面ファスナー型、ボタン型の何れかであっても良い。
【００１２】
また、上記通信機能付き着衣が、複数の通信チップの中の少なくとも１つの通信チップに、外部機器と無線通信するための無線通信手段を搭載したものであっても良い。
【００１３】
また、上記の課題を解決する本発明の一態様に係る通信機能付き着衣システムは、上記通信機能付き着衣と、無線通信手段を搭載した通信チップの各々の、外部機器からの信号に対する受信強度を比較し、比較結果に基づいて当該信号を捕捉して伝送する通信チップを設定する制御ユニットとを備えたことを特徴とする。
【００１４】
なお、上記通信機能付き着衣システムにおいて、制御ユニットが、通信チップから伝送された信号に所定の処理を施して当該制御ユニット内の所定の記憶装置に記憶することもできる。
【００１５】
また、上記の課題を解決する本発明の一態様に係る内視鏡システムは、体腔内に投入されるカプセル型内視鏡であって、該体腔内の画像を撮像して信号を生成し、生成された信号を外部に無線で発信するカプセル型内視鏡と、カプセル型内視鏡から発信された信号を受信して制御ユニット内の所定の記憶装置に記憶する上記通信機能付き着衣システムと、記憶された信号を用いて該体腔内の映像を表示するモニタとを備えたことを特徴とする。
【００１６】
また、上記の課題を解決する本発明の別の態様に係る通信機能付き着衣は、着用させた被験者の身体に関する情報を取得するための、該被験者の着用部位に該着衣を潜らせる開き部分を有した通信機能付き着衣であり、被験者の身体の一部を覆うよう型取られた導電シートと、導電シート上に散在され、当該導電シートを利用して近接した通信チップに信号を伝送していく複数の通信チップとを含んだ二次元拡散信号伝送テクノロジを用いる伝送基板を有し、該開き部分を留める合わせ部が形成され、合わせ部に該着衣を該着用部位に密着させるようその内周の長さを調整可能な調整手段が設けられていることを特徴する。
【発明の効果】
【００１７】
本発明の通信機能付き着衣、通信機能付き着衣システム、及び、内視鏡システムを採用すると設定可能な伝送経路の選択肢が増加する。このため、通信チップの位置によっては従来と比べて信号の伝送経路が短くなり、伝送効率が向上する。また、身体の大きさの異なる様々な被験者に対して着衣をフィットさせることができるため、アンテナの受信状態が安定する。
【発明を実施するための最良の形態】
【００１８】
以下、図面を参照して、本発明の実施の形態の内視鏡システムについて説明する。
【実施例１】
【００１９】
図１は、本発明の実施例１の内視鏡システム１０の構成を示したブロック図である。術者は、本実施例１の内視鏡システム１０を使用することにより、被験者１の体腔内の様相を観察し、当該被験者１を診断することができる。
【００２０】
内視鏡システム１０は、カプセル型内視鏡１００、アンテナ付きジャケット２００、及び、モニタ付きＰＣを含む外部処理システム３００を有している。カプセル型内視鏡１００は、被験者１の体腔内を撮像する為に当該体腔内に投入される小型の内視鏡である。アンテナ付きジャケット２００は、体腔内を観察する為に被験者１に着用させるジャケットであり、カプセル型内視鏡１００から発信される画像情報を含んだ信号を取得することができる。外部処理システム３００は、アンテナ付きジャケット２００で取得された画像情報を解析、表示させることができる。なお、ここでいう解析とは、例えば取得された画像情報に基づいて、体腔内の表面形状やその分布の傾向、或いは、画像情報の色信号成分の体腔内表面の色分布の傾向を分析し、通常状態（正常部分）と異なる状態の部分を抽出することを示す。これにより、大量に取得された画像情報に基づき、異常がありそうな部分の候補を予めピックアップすることができ、診断の高速化等が可能となる。
【００２１】
図２は、本実施例１のカプセル型内視鏡１００の構成を示したブロック図である。カプセル型内視鏡１００は、微小な内視鏡である為、細長く且つ蛇行した腸類に容易に進入してその内部を撮像することができる。カプセル型内視鏡１００は、各構成要素に電源を供給する電源部１０２、全体の制御を司る制御部１０４、各種データが記憶されるメモリ１０６、体腔内を照明する２つの照明部１０８、体腔内を観察する為の対物光学系１１０、体腔内の画像を撮像する固体撮像素子１１２、外部機器との間で通信を行うための送受信部１１４、及び外部機器との間で電波を送受信するアンテナ部１１５を備えている。
【００２２】
電源がオンされて被験者１の体腔内に投入されると、カプセル型内視鏡１００は、照明部１０８によって当該体腔内を照明する。体腔内の壁部などで反射された照明光は、対物光学系１１０に入射され、対物光学系１１０の像側焦点面上にその受光面を有した固体撮像素子１１２に受光される。
【００２３】
固体撮像素子１１２は、受光された反射光を光電変換し、画像情報を含んだ信号を生成する。制御部１０４は、送受信部１１４を制御し、生成された信号を変調する。変調された信号は、アンテナ部１１５を介して外部に発信される。本実施例１において、アンテナ部１１５から発信された信号は、アンテナ付きジャケット２００によって受信される。
【００２４】
次に、本実施例１のアンテナ付きジャケット２００の構成及び作用について説明する。アンテナ付きジャケット２００は、被験者１の体の一部を覆うよう型取られており、図１に示されるように、二次元拡散信号伝送を実行する為のＤＳＴチップ２３０がその全域に渡ってマトリクス状に配置されている。この為、アンテナ付きジャケット２００内部には、有線ケーブルや銅箔のパターンを用いることなく、例えばカプセル型内視鏡１００から発信された画像信号を伝送する回路が構築され得る。
【００２５】
アンテナ付きジャケット２００では、二次元拡散信号伝送テクノロジを採用したことによってその内部に回路を構築しつつも、通常の衣服に比べて遜色のない柔軟性や耐久性が維持されている。また、カプセル型内視鏡１００との通信を果たす為の後述のアンテナを、高い自由度で設計でき、且つ、高密度に実装できる。また、アンテナ付きジャケット２００には、構築され得る回路全体を制御することができる制御ユニット２２０が備えられている。
【００２６】
図３は、図１のＡ−Ａ断面を示した図である。アンテナ付きジャケット２００は、二つの信号層（信号層２１０及びグランド層２１２）、これらの信号層を互いに絶縁する為の絶縁層２１４、及び、これらの信号層と外部とを絶縁する為の絶縁層２１６及び２１８の計五つの層から構成されている。これらの層の中で、絶縁層２１６が被験者１側（すなわちアンテナ付きジャケット２００の裏側）に位置し、絶縁層２１８が被験者１の反対側（すなわちアンテナ付きジャケット２００の表側）に位置する。また、グランド層２１２及び絶縁層２１４には、これら二層に跨るようにＤＳＴチップ２３０が埋設されている。これらの層は、絶縁層２１６、グランド層２１２、絶縁層２１４、信号層２１０、絶縁層２１８の順に積層されている。
【００２７】
信号層２１０及びグランド層２１２は、柔軟性及び導電性を有し、被験者１の胴回りを覆うジャケットの如く型取られたシートである。これらの層は、例えば導電ゴムや導電体が織り込まれた布等から成る。なお、信号層２１０は、ＤＳＴチップ２３０間で伝送される２Ｄ−ＤＳＴ信号の電位となる信号層を成す。また、グランド層２１２は、グランド電位となる信号層を成す。
【００２８】
絶縁層２１４、２１６、及び、２１８は、柔軟性及び絶縁性を有し、例えば絶縁ゴムや、絶縁フィルム、絶縁性を有した布等から成り、先の信号層２１０及びグランド層２１２と同様にジャケット状に形成されている。絶縁層２１４は、信号層２１０とグランド層２１２とを絶縁する為にこれらのシートに狭持されている。また、絶縁層２１６は、グランド層２１２の外側の面（すなわち絶縁層２１４側の面と対向する面）を覆うよう型取られたシートである。また、絶縁層２１８は、信号層２１０の外側の面（すなわち絶縁層２１４側の面と対向する面）を覆うよう型取られたシートである。これらの絶縁層の作用により、信号層２１０に電圧が印加された場合であっても、信号層２１０とグランド層２１２との絶縁性は保たれ、且つ、信号層２１０或いはグランド層２１２と外部（例えば被験者１の体の表面）との絶縁性も保たれる。
【００２９】
次に、ＤＳＴチップ２３０の構成及び作用について説明する。ＤＳＴチップ２３０は、カプセル型内視鏡１００との間で例えば画像情報を含んだ信号を送受信する機能と、二次元拡散信号伝送テクノロジによって所定の目的地に当該信号を伝送する機能を有している。
【００３０】
図４は、本実施例１のＤＳＴチップ２３０の構成を示したブロック図である。ＤＳＴチップ２３０は、信号層２１０及びグランド層２１２と導通しており、制御部２３２、アンテナ２３４、送受信部２３５、メモリ２３６、及び、通信部２３８を有している。
【００３１】
制御部２３２は、当該チップ全体の制御を統括的に実行する。アンテナ２３４は、カプセル内視鏡１００に代表される外部機器との間で電波を送受信し、送受信部２３５は、外部機器との間で信号を通信することができる。メモリ２３６は、自身のＩＤ情報、所定の目的地に向けて信号伝送する為の経路情報等を記憶しており、さらに、カプセル型内視鏡１００からの信号を一時的に保持することができる。通信部２３８は、二次元拡散信号伝送テクノロジによる２Ｄ−ＤＳＴ信号伝送を実行する為に、隣接したＤＳＴチップ２３０との通信を果たす。
【００３２】
図５は、本実施例１の制御ユニット２２０の構成を示したブロック図である。制御ユニット２２０は、アンテナ付きジャケット２００全体を制御する機能と、外部機器（ここでは外部処理システム３００）とのインターフェースとしての機能を備え、制御部２２１、電源２２２、通信部２２３、メモリ２２４、信号処理部２２５、及び、インターフェース部２２６を有している。
【００３３】
制御部２２１は、アンテナ付きジャケット２００全体を統括的に制御する。電源２２２は、アンテナ付きジャケット２００全体の電源として機能する。電源２２２からの駆動電流は、通信部２２３を介して、二次元拡散信号伝送テクノロジにより例えば信号層２１０中を流れて各ＤＳＴチップ２３０に供給される。同時に通信部２２３は、二次元拡散信号伝送テクノロジにより、制御ユニット２２０に最も近接したＤＳＴチップ２３０との通信を果たす。メモリ２２４は、各種制御用プログラムを記憶し、ＤＳＴチップ２３０からの伝送信号等を含む各種データを格納することができる。信号処理部２２５は、上記伝送信号に所定の処理を施し、外部処理システム３００で表示可能な画像信号に変換することができる。インターフェース部２２６は、外部機器との信号の入出力端子である。本実施例１では、制御ユニット２２０は、インターフェース部２２６によって外部処理システム３００と接続されている。
【００３４】
本実施例１の内視鏡システム１０においてカプセル型内視鏡１００からの画像信号を受信して外部処理システム３００に出力する処理について概説する。例えば、制御ユニット２２０の制御部２２１が、カプセル型内視鏡１００から発信されている電波に対する受信強度データであって、アンテナ付きジャケット２００内に散在されている全てのＤＳＴチップ２３０（より正確にはアンテナ２３４）の受信強度データを取得し、それらを比較して受信強度が最も高いアンテナ２３４を搭載したＤＳＴチップ２３０を信号受信用のチップとして設定する。そして当該ＤＳＴチップ２３０にカプセル型内視鏡１００から発信されている電波を受信させ、更に、二次元拡散信号伝送テクノロジにより、当該ＤＳＴチップ２３０と自身とを結ぶ伝送経路であって、各ＤＳＴチップ２３０を中継地点とした最短の信号伝送経路を設定する。伝送経路が設定されると、受信された画像信号は、その経路に沿って各ＤＳＴチップ２３０間を伝送されていき、制御ユニット２２０に到達してメモリ２２４に格納される。なお、ここでメモリ２２４に一端格納された画像信号は、信号処理部２２５の処理によって映像信号に変換され、インターフェース部２２６を介して外部処理システム３００に出力される。これにより、外部処理システム３００において、被験者１の体腔内の画像が表示されたり、その解析が行われたりする。
【００３５】
ここで、アンテナ付きジャケット２００は、図１に示されるよう、被験者１が羽織れるような前開きタイプであり、その前面側に前開き部分を留める合わせ部２４０が形成されている。アンテナ付きジャケット２００を実際に着用する際、被験者１は、左右の開口に腕を通しつつその胴体を前開き部分に潜らせた後、合わせ部２４０を合わせて前開き部分を留める。
【００３６】
以下、図６から図８を参照して、アンテナ付きジャケット２００の合わせ部２４０について詳説する。図６は、図１のＢ−Ｂ断面を示した図である。合わせ部２４０は、前開き部分を成すアンテナ付きジャケット２００の一端近傍に設けられたピンコネクタ２５０と、もう一端近傍に設けられた差し込み口２７０ａ、２７０ｂ、及び、２７０ｃを有している。差し込み口２７０ａ、２７０ｂ、２７０ｃは、アンテナ付きジャケット２００の周方向（別の言い方をすると、着用時における被験者１の胴回り方向）に等間隔で配列されている。また、ピンコネクタ２５０、差し込み口２７０ａ、２７０ｂ、及び、２７０ｃは、それぞれ、上記周方向と直交する方向に等間隔で複数配列されている。ピンコネクタ２５０は差し込み口２７０ａ、２７０ｂ、２７０ｃの何れか一つと結合可能であり、これにより、前開き部分が留められる。図１及び６では、ピンコネクタ２５０は、差し込み口２７０ｂと結合している。
【００３７】
なお、ピンコネクタ２５０と結合させる差し込み口を変更することにより、アンテナ付きジャケット２００の胴回りのサイズが変わる。例えばピンコネクタ２５０を差し込み口２７０ａと結合させた場合、上記サイズが最も大きくなり、身体の大きい被験者に適したサイズとなる。また、例えばピンコネクタ２５０を差し込み口２７０ｃと結合させた場合、上記サイズが最も小さくなり、身体の小さい被験者に適したサイズとなる。ピンコネクタ２５０と結合させる差し込み口を被験者の身体のサイズに応じて適宜決定することにより、身体の大きさの異なる様々な被験者に対してアンテナ付きジャケット２００をフィットさせることが可能となる。また、これにより、被験者の身体の表面と各チップのアンテナ２３４とのエアギャップが一定となり、アンテナ２３４の受信状態が安定するため、当該アンテナ２３４の設計を最適化でき、その性能を向上させることが可能となる。また、アンテナ付きジャケット２００が被験者に対してずれ難くなり、被験者に対するＤＳＴチップ２３０の各々の位置が安定するため、例えばカプセル型内視鏡１００の位置測定を行うような場合、その測定精度を向上させることが可能となる。
【００３８】
図７（ａ）は、図６の領域Ｃ及びその近傍を拡大した図であり、図７（ｂ）は、その拡大図において差し込み口２７０ｂからピンコネクタ２５０を外した状態を示している。また、図８（ａ）は、本実施例１のピンコネクタ２５０を抽出して示した斜視図であり、図８（ｂ）は、本実施例１のピンコネクタ２５０をその中心軸沿いに切断したような断面図である。また、図８（ｃ）は、本実施例１の差し込み口２７０ｂを抽出して示した斜視図であり、図８（ｄ）は、本実施例１の差し込み口２７０ｂをその中心軸沿いに切断したような断面図である。なお、差し込み口２７０ａ及び２７０ｃは差し込み口２７０ｂと同一の構成及び作用を有しているため、差し込み口２７０ａ及び２７０ｃの説明は、ここでの差し込み口２７０ｂの説明をもって省略する。
【００３９】
ピンコネクタ２５０は、絶縁性を持つ樹脂の成型品であり、基台２５１、円筒部２５２、割り構造２５３、及び、先端部２５４を有している。基台２５１は、絶縁層２１４に埋設されており、信号層２１０との接触面上に金属膜２６１がコーティングされている。円筒部２５２は、基台２５１上に形成され、信号層２１０及び絶縁層２１８を突き抜けて配置されている。割り構造２５３は、円筒部２５２上に形成され、円筒部２５２よりも小さい径の円筒をベースとして、当該円筒をＤカットして且つその中心軸を含む一部分を中空とした形状からなる。割り構造２５３において、上記中空部分を境界として、例えば図７（ａ）中の右側部分を割り構造２５３ａとし、左側部分を割り構造２５３ｂとする。先端部２５４は、割り構造２５３の先端に形成され、割り構造２５３よりも大きい径の円筒をベースとして、当該円筒をＤカットして且つその中心軸を含む一部分を中空とした形状からなる。先端部２５４において、上記中空部分を境界として、割り構造２５３ａの先端に形成されたものを先端部２５４ａとし、割り構造２５３ｂの先端に形成されたものを先端部２５４ｂとする。先端部２５４ａ及び２５４ｂにはガイド面２５５が形成されている。金属膜２６１は、周知のフォトリソグラフィを用いて成型品にパターンをめっきしたものであり、基台２５１の上記接触面に加えて円筒部２５２と信号層２１０との接触面上にもコーティングされ、更に、円筒部２５２及び割り構造２５３の内部を通じて、割り構造２５３ａの一部の表面に露出している。なお、円筒部２５２及び割り構造２５３の内部に金属膜２６１をめっきするため、ピンコネクタ２５０は、例えば図７（ｂ）に示された形状に成型され、めっき後、前記の形状と対を成す回転対象形状の部品を組み合わせることによって製造される。なお、円筒部２５２等を含む樹脂に金属板をインサート成型し、それを金属膜２６１と置き換えることもできる。
【００４０】
差し込み口２７０ｂは、中空円筒２７１ｂ上にフランジ部２７２ｂが形成されたものである。中空円筒２７１ｂは、アンテナ付きジャケット２００の全ての層を貫通して位置し、信号層２１０との接触面上に金属膜２８１ｂがコーティングされている。中空円筒２７１ｂの内径は、割り構造２５３のベース形状である円筒の径と略等しい。フランジ部２７２ｂは、絶縁層２１４に埋設されており、信号層２１０との接触面上に金属膜２８１ｂがコーティングされている。金属膜２８１ｂは、これらの接触面から中空円筒２７１ｂ内部を通じて、当該中空円筒２７１ｂの中空面２７３ｂの一部に露出している。金属膜２８１ｂも、先の金属膜２６１と同様の製法で形成されている。
【００４１】
ピンコネクタ２５０を差し込み口２７０ｂに差し込むと、ピンコネクタ２５０は、先ず、そのガイド面２５５が中空面２７３ｂに対して滑りながら接触し、当該中空面２７３ｂにより先端部２５４ａ及び２５４ｂが押圧されて割り構造２５３ａ及び２５３ｂが弾性変形する。これにより、それぞれの先端に形成された先端部２５４ａ、２５４ｂが、その間にある中空領域を狭めるように図８（ａ）の矢印Ｄａ、Ｄｂ方向に動かされる。ここで、先端部２５４のベース形状である円筒の径は、中空円筒２７１ｂの内径よりも大きいが、差し込み時においては、上述の矢印方向への先端部２５４ａ及び２５４ｂの動きにより実質的に小さくなる。このため、先端部２５４は中空円筒２７１ｂ内を挿通し得る。
【００４２】
中空円筒２７１ｂを挿通して差し込み側と逆の開口に突出させると（図７（ａ）の状態）、先端部２５４は、中空面２７３ｂからの押圧がなくなるため元の形状に戻る。ここで、円筒部２５２と先端部２５４の互いの対向面間の距離（別の言い方をすると、割り構造２５３の長手方向の長さ）と、中空円筒２７１ｂの軸方向の長さは、実質的に等しい。従って、中空円筒２７１ｂの一方の端面と円筒部２５２の上記対向面、及び、中空円筒２７１ｂのもう一方の端面と先端部２５４の上記対向面とが、互いに密接する。すなわち中空円筒２７１ｂが円筒部２５２と先端部２５４に隙間なく挟まれるため、ピンコネクタ２５０と中空円筒２７１ｂとが結合して相対的に固定された状態となる。
【００４３】
上記結合状態では、割り構造２５３ａの一部の表面に露出した金属膜２６１と、中空面２７３ｂの一部に露出した金属膜２８１ｂとが接触する。従って、ピンコネクタ２５０近傍の信号層２１０と、差し込み口２７０ｂ近傍の信号層２１０とが、金属膜２６１及び金属膜２８１ｂを介して電気的に接続される。
【００４４】
ピンコネクタ２５０と差し込み口とが結合しているか否かは、例えばアンテナ付きジャケット２００の前開き部分近傍に設置された機械的又は電気的なセンサ（不図示）によって検知され得る。制御ユニット２２０の制御部２２１は、上記センサの検知結果に基づいて、ピンコネクタ２５０と差し込み口とが結合していないと判定した場合、ピンコネクタ２５０近傍のＤＳＴチップ２３０で受信された信号に対し、最短の伝送経路として、例えば図６に示されるように矢印Ｅ方向沿いに配置されたＤＳＴチップ２３０を中継地点とするものを設定する。これに対して、ピンコネクタ２５０と何れかの差し込み口とが結合していると判定した場合、制御ユニット２２０の制御部２２１は、ピンコネクタ２５０近傍のＤＳＴチップ２３０で受信された信号に対し、最短の伝送経路として、例えば金属膜２６１及び金属膜２８１ｂを経由して矢印Ｆ方向沿いに配置されたＤＳＴチップ２３０を中継地点とするものを設定する。すなわち受信信号は、前者の場合にはアンテナ付きジャケット２００の前側、左側面側、後側、及び、右側面側を経て制御ユニット２２０に伝送され、後者の場合にはアンテナ付きジャケット２００の前側及び右側面側だけを経て制御ユニット２２０に伝送される。後者の場合、設定可能な伝送経路の選択肢が前者の場合と比べて増加する。従って上記例に示されたように、信号受信用のチップの位置によっては、前者の場合と比べて伝送経路を短く設定することができる。これにより、ＤＳＴチップ２３０による信号受信から制御ユニット２２０への信号入力に掛かる時間（遅延時間）が軽減される。また、中継地点となるＤＳＴチップ２３０の数が軽減されるため、伝送信号に重畳され得るノイズ成分が減少し、当該伝送信号が損失する可能性も軽減される。また、アンテナ付きジャケット２００中の何れかの層やＤＳＴチップ２３０の一部に破損が生じた場合であっても、伝送経路の選択肢が多いことから、破損箇所を回避しつつ効率の良い伝送経路を設定することが可能となる。
【００４５】
次に、図面を参照して、様々な変形例の一部（実施例２〜６）を示す。なお、これらの変形例では、アンテナ付きジャケット２００の合わせ部２４０の構成が本実施例１のものと異なるだけであり、その他の構成は本実施例１の内視鏡システム１０と同一又は同様である。以下の説明及び図面において、図１から図８に示された本実施例１の内視鏡システム１０と同一又は同様の構成には、同一又は同様の符号を付してここでの詳細な説明は省略する。
【実施例２】
【００４６】
図９（ａ）は、図７（ａ）と同様の断面図であって、本実施例２のアンテナ付きジャケットの合わせ部の一部を拡大抽出して示した断面図であり、図９（ｂ）は、その断面図において差し込み口からピンコネクタを外した状態を示している。本実施例２の合わせ部は、前開き部分を成すアンテナ付きジャケットの一端近傍に設けられたピンコネクタ２５０１と、もう一端近傍に設けられた差し込み口２７０１ｂを有している。なお、本実施例２（及び以下の全ての実施例）においても、本実施例１と同様に、胴回りのサイズを変更できるようアンテナ付きジャケット周方向に差し込み口が複数配列されている。
【００４７】
本実施例２のピンコネクタ２５０１は、本実施例１のピンコネクタ２５０と同様に、基台２５１、円筒部２５２、割り構造２５３、先端部２５４、ガイド面２５５、金属膜２６１を有し、更に、金属膜２６２を有している。金属膜２６２は、基台２５１におけるグランド層２１２との接触面上にコーティングされ、更に、基台２５１、円筒部２５２、及び、割り構造２５３の内部を通じて、割り構造２５３ｂの一部の表面に露出している。なお、金属膜２６２は、金属膜２６１とは導通していない。
【００４８】
本実施例２の差し込み口２７０１ｂは、本実施例１の差し込み口２７０ｂと同様に、中空円筒２７１ｂ、フランジ部２７２ｂ、中空面２７３ｂ、金属膜２８１ｂを有し、更に、金属膜２８２ｂを有している。金属膜２８２ｂは、フランジ部２７２ｂにおけるグランド層２１２との接触面上にコーティングされ、更に、中空円筒２７１ｂ内部を通じて、中空面２７３ｂの一部に露出している。なお、金属膜２８２ｂは、金属膜２８１ｂとは導通していない。
【００４９】
ピンコネクタ２５０１と差し込み口２７０１ｂとを結合させたとき、割り構造２５３ａの一部の表面に露出した金属膜２６１と、中空面２７３ｂの一部に露出した金属膜２８１ｂとが接触すると共に、割り構造２５３ｂの一部の表面に露出した金属膜２６２と、中空面２７３ｂの一部に露出した金属膜２８１ｂとが接触する。従って、ピンコネクタ２５０１近傍の信号層２１０と、差し込み口２７０１ｂ近傍の信号層２１０とが、金属膜２６１及び金属膜２８１ｂを介して電気的に接続されると共に、ピンコネクタ２５０１近傍のグランド層２１２と、差し込み口２７０１ｂ近傍のグランド層２１２とが、金属膜２６２及び金属膜２８２ｂを介して電気的に接続される。
【００５０】
本実施例２では、合わせ部において、信号層２１０と共にグランド層であるグランド層２１２も電気的に接続し得る。これにより、グランド層２１２内に含まれる抵抗成分等によって発生していた、ピンコネクタ２５０１近傍のグランド層２１２と、差し込み口２７０１ｂ近傍のグランド層２１２との電位差が低減し、当該グランド層２１２のインピーダンスが低下する。このためノイズの影響を受け難くなり、アンテナ付きジャケット２００内を伝送される信号のＳＮ比が向上する。
【実施例３】
【００５１】
図１０（ａ）は、図７（ａ）と同様の断面図であって、本実施例３のアンテナ付きジャケットの合わせ部の一部を拡大抽出して示した断面図であり、図１０（ｂ）は、その断面図において差し込み口からピンコネクタを外した状態を示している。本実施例３の合わせ部は、前開き部分を成すアンテナ付きジャケットの一端近傍に設けられたピンコネクタ２５０２と、もう一端近傍に設けられた差し込み口２７０２ｂを有している。なお、本実施例３のアンテナ付きジャケットは、七層構造であり、各ＤＳＴチップ２３０に電源を供給する層（電源層２１１）を独立して有している。本実施例３のアンテナ付きジャケットでは、各層は、絶縁層２１６、グランド層２１２、絶縁層２１４、信号層２１０、絶縁層２１５、電源層２１１、絶縁層２１８の順に積層されている。
【００５２】
本実施例３のピンコネクタ２５０２は、本実施例２のピンコネクタ２５０１と同様に、基台２５１、円筒部２５２、割り構造２５３、先端部２５４、ガイド面２５５、金属膜２６１、２６２を有し、更に、基台２５６、及び、金属膜２６３を有している。基台２５６は、絶縁層２１５に埋設されており、電源層２１１との接触面上に金属膜２６３がコーティングされている。金属膜２６３は、上記接触面上に加えて更に、円筒部２５２及び割り構造２５３の内部を通じて、割り構造２５３ａの一部の表面に露出している。金属膜２６１、２６２、２６３は、互いに絶縁されている。なお、図１０において、金属膜２６１は、割り構造２５３ｂの一部の表面に露出しているが、結合時において本実施例１及び２のものと同様に作用する。
【００５３】
本実施例３の差し込み口２７０２ｂは、本実施例２の差し込み口２７０１ｂと同様に、中空円筒２７１ｂ、フランジ部２７２ｂ、中空面２７３ｂ、金属膜２８１ｂ、２８２ｂを有し、更に、フランジ部２７４ｂ、及び、金属膜２８３ｂを有している。フランジ部２７４ｂは、絶縁層２１５に埋設されており、電源層２１１との接触面上に金属膜２８３ｂがコーティングされている。金属膜２８３ｂは、上記接触面上に加えて更に、中空円筒２７１ｂ内部を通じて、中空面２７３ｂの一部に露出している。なお、金属膜２８１ｂ、２８２ｂ、２８３ｂは、互いに絶縁されている。
【００５４】
ピンコネクタ２５０２と差し込み口２７０２ｂとを結合させたとき、割り構造２５３ｂの一部の表面に露出した金属膜２６１と、中空面２７３ｂの一部に露出した金属膜２８１ｂとが接触すると共に、割り構造２５３ｂの一部の表面に露出した金属膜２６２と、中空面２７３ｂの一部に露出した金属膜２８２ｂとが接触し、更に、割り構造２５３ａの一部の表面に露出した金属膜２６３と、中空面２７３ｂの一部に露出した金属膜２８３ｂとが接触する。従って、ピンコネクタ２５０１近傍の信号層２１０と、差し込み口２７０１ｂ近傍の信号層２１０とが、金属膜２６１及び金属膜２８１ｂを介して電気的に接続されると共に、ピンコネクタ２５０１近傍のグランド層２１２と、差し込み口２７０１ｂ近傍のグランド層２１２とが、金属膜２６２及び金属膜２８２ｂを介して電気的に接続され、更に、ピンコネクタ２５０１近傍の電源層２１１と、差し込み口２７０１ｂ近傍の電源層２１１とが、金属膜２６３及び金属膜２８３ｂを介して電気的に接続される。
【００５５】
本実施例３では、合わせ部において、信号層２１０、グランド層２１２に加えて、電源層２１１も電気的に接続し得る。これにより、電源層２１１内に含まれる抵抗成分等によって発生していた、ピンコネクタ２５０１近傍の電源層２１１と、差し込み口２７０１ｂ近傍の電源層２１１との電位差が低減し、当該電源層２１１のインピーダンスが低下する。このためノイズの影響を受け難くなり、アンテナ付きジャケット２００内を伝送される信号のＳＮ比が向上する。なお、本実施例３では合わせ部において全ての信号層を電気的に接続しているが、別の実施例では、信号層２１０を含む一又は二の層だけを電気的に接続するよう構成しても良い。
【実施例４】
【００５６】
図１１は、図７（ａ）と同様の断面図であって、本実施例４のアンテナ付きジャケットの合わせ部の一部を拡大抽出して示した断面図である。本実施例４の合わせ部は、周知のファスナー（登録商標）構造によってアンテナ付きジャケットの前開き部分を留めるよう構成されている。なお、図７や、図９、図１０では、アンテナ付きジャケットの胴回りのサイズを変更可能にするためにその周方向に配列された複数の差し込み口のうちの一つの断面のみを示しているが、図１１では、当該周方向に配列された複数のファスナー構造を示している。
【００５７】
本実施例４の合わせ部は、前開き部分を成すアンテナ付きジャケットの一端近傍にファスナー構造３１０を有している。ファスナー構造３１０は、ファスナー用テープ３１１及び３１４を有している。ファスナー用テープ３１１、３１４は、例えば導電性の繊維が織り込まれた布であり、それぞれ、信号層２１０、グランド層２１２と導通するよう取り付けられている。ファスナー用テープ３１１、３１４の先端には、それぞれ、例えば導電性を持つ樹脂で成型された（又は金属性の）務歯３１２、３１５が取り付けられている。務歯３１２及び３１５には、対となり得る務歯（後述のファスナー構造３２０ａ、３２０ｂ、及び、３２０ｃが有する務歯）と噛み合うためのスライダー（不図示）が備えられており、当該スライダーがジップアップされると前開き部分が留まる。なお、ファスナー用テープ３１１及び務歯３１２、ファスナー用テープ３１４及び務歯３１５は、それぞれ、絶縁性を持つ絶縁布３１３、３１６で覆われており、これにより、自身と導通状態にある層以外の導電性の層との絶縁が保たれ、且つ、被験者の身体に直接接触しないよう構成されている。
【００５８】
また、本実施例４の合わせ部は、前開き部分を成すアンテナ付きジャケットのもう一端近傍に、ファスナー構造３２０ａ、３２０ｂ、及び、３２０ｃを有している。これらのファスナー構造は、本実施例１の差し込み口２７０ａ、２７０ｂ、２７０ｃと同様の理由により、本実施例４のアンテナ付きジャケットの周方向に等間隔で配列されている。
【００５９】
ファスナー構造３２０ａは、ファスナー用テープ３２１ａ及び３２４ａを有している。ファスナー用テープ３２１ａ、３２４ａは、例えば導電性の繊維が織り込まれた布であり、それぞれ、信号層２１０、グランド層２１２と導通するよう取り付けられている。ファスナー用テープ３２１ａ、３２４ａの先端には、それぞれ、例えば導電性を持つ樹脂で成型された（又は金属性の）務歯３２２ａ、３２５ａが取り付けられている。務歯３２２ａは、務歯３１２の対となり得る務歯であり、務歯３２５ａは、務歯３１５の対となり得る務歯である。なお、ファスナー用テープ３２１ａ及び務歯３２２ａ、ファスナー用テープ３２４ａ及び務歯３２５ａは、それぞれ、絶縁性を持つ絶縁布３２３ａ、３２６ａで覆われており、これにより、自身と導通状態にある層以外の導電性の層との絶縁が保たれ、且つ、被験者の身体に直接接触しないよう構成されている。
【００６０】
ファスナー構造３２０ｂは、ファスナー用テープ３２１ｂ及び３２４ｂを有している。ファスナー用テープ３２１ｂ、３２４ｂは、例えば導電性の繊維が織り込まれた布であり、それぞれ、信号層２１０、グランド層２１２と導通するよう取り付けられている。ファスナー用テープ３２１ｂ、３２４ｂの先端には、それぞれ、例えば導電性を持つ樹脂で成型された（又は金属性の）務歯３２２ｂ、３２５ｂが取り付けられている。務歯３２２ｂは、務歯３１２の対となり得る務歯であり、務歯３２５ｂは、務歯３１５の対となり得る務歯である。なお、ファスナー用テープ３２１ｂ及び務歯３２２ｂ、ファスナー用テープ３２４ｂ及び務歯３２５ｂは、それぞれ、絶縁性を持つ絶縁布３２３ｂ、３２６ｂで覆われており、これにより、自身と導通状態にある層以外の導電性の層との絶縁が保たれ、且つ、被験者の身体に直接接触しないよう構成されている。
【００６１】
ファスナー構造３２０ｃは、ファスナー用テープ３２１ｃ及び３２４ｃを有している。ファスナー用テープ３２１ｃ、３２４ｃは、例えば導電性の繊維が織り込まれた布であり、それぞれ、信号層２１０、グランド層２１２と導通するよう取り付けられている。ファスナー用テープ３２１ｃ、３２４ｃの先端には、それぞれ、例えば導電性を持つ樹脂で成型された（又は金属性の）務歯３２２ｃ、３２５ｃが取り付けられている。務歯３２２ｃは、務歯３１２の対となり得る務歯であり、務歯３２５ｃは、務歯３１５の対となり得る務歯である。なお、ファスナー用テープ３２１ｃ及び務歯３２２ｃ、ファスナー用テープ３２４ｃ及び務歯３２５ｃは、それぞれ、絶縁性を持つ絶縁布３２３ｃ、３２６ｃで覆われており、これにより、自身と導通状態にある層以外の導電性の層との絶縁が保たれ、且つ、被験者の身体に直接接触しないよう構成されている。
【００６２】
図１１では、ファスナー構造３１０がファスナー構造３２０ｂと噛み合った状態を示している。すなわち務歯３１２と務歯３２２ｂとが合わせられ、スライダーがジップアップされて互いに噛み合わされている。これにより、ファスナー構造３１０近傍の信号層２１０と、ファスナー構造３２０ｂ近傍の信号層２１０とが、ファスナー用テープ３１１、務歯３１２、務歯３２２ｂ、及び、ファスナー用テープ３２１ｂを介して電気的に接続される。また、務歯３１５と務歯３２５ｂとが合わせられ、スライダーがジップアップされて互いに噛み合わされている。これにより、ファスナー構造３１０近傍のグランド層２１２と、ファスナー構造３２０ｂ近傍のグランド層２１２とが、ファスナー用テープ３１４、務歯３１５、務歯３２５ｂ、及び、ファスナー用テープ３２４ｂを介して電気的に接続される。
【００６３】
合わせ部をファスナー構造とすることにより、術者又は被験者は簡単な作業でアンテナ付きジャケットの前開き部分を留めることができる。またこのような構造を採用することにより合わせ部の固定力を増強させることができ、ジャケットを被験者によりフィットさせることが可能となる。
【実施例５】
【００６４】
図１２（ａ）は、図７（ａ）と同様の断面図であって、本実施例５のアンテナ付きジャケットの合わせ部の一部を拡大抽出して示した断面図であり、図１２（ｂ）は、図１２（ａ）のＧ−Ｇ断面を示した図である。なお、図１２（ｂ）では、本実施例５のアンテナ付きジャケットの縦方向（周方向と直交する方向）に沿った一部の断面をＧ−Ｇ断面として示している。
【００６５】
本実施例５の合わせ部は、面ファスナーによってアンテナ付きジャケットの前開き部分を留めるよう構成されている。本実施例５の面ファスナーは、前開き部分を成すアンテナ付きジャケットの一端近傍に設けられた繊維面３３１及び３３２と、もう一端近傍に設けられた繊維面３３３ａ及び３３４ａを有している。繊維面３３１、３３２は、多数の導電性を持つ繊維から成る係合素子をその表面に有しており、アンテナ付きジャケットの縦方向に沿って交互に取り付けられている。また、繊維面３３３ａ、３３４ａも、多数の導電性を持つ繊維から成る係合素子をその表面に有しており、アンテナ付きジャケットの縦方向に沿って交互に取り付けられている。
【００６６】
本実施例５のアンテナ付きジャケット内には、導電性を持つ繊維を束ねた繊維束２１０Ａが、当該ジャケット裏面に露出するよう織り込まれ、信号層２１０と繊維面３３１とを電気的に接続している。ここで、信号層２１０とグランド層２１２との絶縁性を保つため、絶縁層２１４の一部が、繊維束２１０Ａの全周を囲むように形成され、絶縁層２１６の一部と繋がっている。また、導電性を持つ繊維束２１２Ａが、当該ジャケット表面に露出するよう織り込まれ、グランド層２１２と繊維面３３２とを電気的に接続している。また、導電性を持つ繊維束２１２Ｂが、当該ジャケット表面に露出するよう織り込まれ、グランド層２１２と繊維面３３４ａとを電気的に接続している。信号層２１０とグランド層２１２との絶縁性を保つため、絶縁層２１４の一部が、繊維束２１２Ｂの全周を囲むように形成され、絶縁層２１０の一部と繋がっている。なお、繊維面３３３ａは、その一部が信号層２１０と接触し、当該信号層２１０と電気的に接続されている。
【００６７】
繊維面３３１と繊維面３３３ａとを接触させたとき、互いの面上の係合素子が絡み合って係合する。これにより、繊維面３３１近傍の信号層２１０と、繊維面３３３ａ近傍の信号層２１０とが、繊維束２１０Ａ、繊維面３３１、及び、繊維面３３３ａを介して電気的に接続される。また、繊維面３３２と繊維面３３４ａとを接触させたとき、互いの面上の係合素子が絡み合って係合する。これにより、繊維面３３２近傍のグランド層２１２と、繊維面３３４ａ近傍のグランド層２１２とが、繊維束２１２Ａ、繊維面３３２、繊維面３３４ａ、及び、繊維束２１２Ｂを介して電気的に接続される。
【００６８】
合わせ部を面ファスナーとすることにより、術者又は被験者は簡単な作業でアンテナ付きジャケットの前開き部分を留めることができる。またこのように面ファスナーを使用した場合、コネクタ等と比較して異物感がないため着心地を向上させることができる。また更にジャケットを軽量化させることもできる。
【実施例６】
【００６９】
図１３（ａ）は、図７（ａ）と同様の断面図であって、本実施例６のアンテナ付きジャケットの合わせ部の一部を拡大抽出して示した断面図であり、図１３（ｂ）は、図１３（ａ）のＨ−Ｈ断面を示した図である。なお、図１３（ｂ）では、本実施例５のアンテナ付きジャケットの縦方向に沿った一部の断面をＨ−Ｈ断面として示している。
【００７０】
本実施例６の合わせ部は、アンテナ付きジャケットの前開き部分を留める構成として、前開き部分を成すアンテナ付きジャケットの一端近傍に取り付けられた繊維束３４１及び３４３、ボタン３４２及び３４４と、もう一端近傍に形成されたボタンホール３５０ｂ及び３５１ｂを有している。繊維束３４１、３４２は、導電性を持つ繊維を束ねたものであり、アンテナ付きジャケットの縦方向に沿って交互に取り付けられている。また、ボタンホール３５０ｂ、３５１ｂも、アンテナ付きジャケットの縦方向に沿って交互に形成されている。繊維束３４１、３４２の先端には、それぞれ、ボタン３４２、３４４が取り付けられている。ボタン３４２及び３４４は、例えば金属製、又は、導電性を持つ樹脂で成型されたものである。繊維束３４１は、アンテナ付きジャケット表面から突出しており、グランド層２１２とボタン３４２とを電気的に接続している。ここで、信号層２１０とグランド層２１２との絶縁性を保つため、絶縁層２１４の一部が、繊維束３４１の全周を囲むように形成され、絶縁層２１８の一部と繋がっている。また、繊維束３４３は、アンテナ付きジャケット表面から突出しており、信号層２１０とボタン３４４とを電気的に接続している。
【００７１】
ボタン３４２をボタンホール３５０ｂで留めたとき、当該ボタン３４２の一部がボタンホール３５０ｂ内で露出したグランド層２１２と接触する。これにより、ボタン３４２近傍のグランド層２１２と、ボタンホール３５０ｂ近傍のグランド層２１２とが、繊維束３４１及びボタン３４２を介して電気的に接続される。また、ボタン３４４をボタンホール３５１ｂで留めたとき、当該ボタン３４４の一部がボタンホール３５１ｂ内で露出した信号層２１０と接触する。これにより、ボタン３４４近傍の信号層２１０と、ボタンホール３５１ｂ近傍の信号層２１０とが、繊維束３４３及びボタン３４４を介して電気的に接続される。
【００７２】
合わせ部をボタンとすることにより、術者又は被験者は、簡単な作業でアンテナ付きジャケットの前開き部分を留めることができる。またこのようにボタンを使用した場合、コネクタ等と比較して異物感がないため着心地を向上させることができる。また更にジャケットを軽量化させることもできる。
【００７３】
以上が本発明の実施形態である。本発明はこれらの実施形態に限定されるものではなく様々な範囲で変形が可能である。例えば、本実施例４から６では導電性を持つ層を二層有したアンテナ付きジャケットを採用しているが、別の実施例では、当該ジャケットを、導電性を持つ層を三層有したものに置き換えることもできる。また、合わせ部において二層とも電気的に接続されているが、信号層２１０だけを電気的に接続するよう構成することもできる。
【図面の簡単な説明】
【００７４】
【図１】本発明の実施例１の内視鏡システムの構成を示したブロック図である。
【図２】本発明の実施例１のカプセル型内視鏡の構成を示したブロック図である。
【図３】図１のＡ−Ａ断面を示した図である。
【図４】本発明の実施例１のＤＳＴチップの構成を示したブロック図である。
【図５】本発明の実施例１の制御ユニットの構成を示したブロック図である。
【図６】図１のＢ−Ｂ断面を示した図である。
【図７】本発明の実施例１のアンテナ付きジャケットの合わせ部の断面を示した図である。
【図８】本発明の実施例１のピンコネクタ及び差し込み口を示した斜視図である。
【図９】本発明の実施例２のアンテナ付きジャケットの合わせ部の断面を示した図である。
【図１０】本発明の実施例３のアンテナ付きジャケットの合わせ部の断面を示した図である。
【図１１】本発明の実施例４のアンテナ付きジャケットの合わせ部の断面を示した図である。
【図１２】本発明の実施例５のアンテナ付きジャケットの合わせ部の断面を示した図である。
【図１３】本発明の実施例６のアンテナ付きジャケットの合わせ部の断面を示した図である。
【符号の説明】
【００７５】
１０  内視鏡システム
１００  カプセル型内視鏡
２００  アンテナ付きジャケット
２２０  制御ユニット
２３０  ＤＳＴチップ
２４０  合わせ部
２５０  ピンコネクタ
２７０ａ、２７０ｂ、２７０ｃ  差し込み口
３００  外部処理システム
【図１】
2007307040.tif 000003
【図２】
2007307040.tif 000004
【図３】
2007307040.tif 000005
【図４】
2007307040.tif 000006
【図５】
2007307040.tif 000007
【図６】
2007307040.tif 000008
【図７】
2007307040.tif 000009
【図８】
2007307040.tif 000010
【図９】
2007307040.tif 000011
【図１０】
2007307040.tif 000012
【図１１】
2007307040.tif 000013
【図１２】
2007307040.tif 000014
【図１３】
2007307040.tif 000015